(57)【特許請求の範囲】
【請求項１】
原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、前記導光体に光を入射させる光源と、前記原稿の読み取り幅方向に延在し、前記集光部に対して前記ツバ部と反対側に配置され、前記集光レンズから照射された光が前記原稿の照射部で反射した反射光を受光部に収束するレンズアレイと、前記導光体を収納し、前記導光体を収納した部分に対して前記レンズアレイと反対側に形成された段差部分に前記ツバ部を載置した筐体とを備え、前記ツバ部は、前記導光体側に向かって突起し、前記導光体と接触する支持部を有している密着型イメージセンサ。
【請求項２】
前記支持部は、前記原稿の読み取り幅方向に沿って複数個配置された請求項１に記載の密着型イメージセンサ。
【請求項３】
原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、この集光レンズ及び前記導光体の端部に設置され、平板に穴部を設け、この穴部の一端側に前記導光体の端部を挿入して前記導光体を保持すると共に前記穴部の外側で前記集光レンズの端部を固定するホルダーと、前記導光体に光を入射させる光源と、前記原稿の読み取り幅方向に延在し、前記集光部に対して前記ツバ部と反対側に配置され、前記集光レンズから照射された光が前記原稿の照射部で反射した反射光を収束するレンズアレイと、前記導光体を収納し、前記導光体を収納した部分に対して前記レンズアレイと反対側に形成された段差部分に前記ツバ部を載置した筐体とを備え、前記集光レンズ及び前記ホルダーを切欠き形成した突起部と窪み部とで嵌合し、前記導光体と前記ホルダーとは、前記導光体の端部の突起部と前記ホルダーの穴部に設けた窪み部とで嵌合している密着型イメージセンサ。
【請求項４】
原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、前記導光体に光を入射させる光源と、前記集光レンズから照射された光が前記原稿の照射部で反射した反射光が通過する孔部を有し、前記導光体を収納し、前記導光体を収納した部分に対して前記孔部と反対側に形成された段差部分に前記ツバ部を載置した筐体と備え、前記ツバ部は、前記導光体側に向かって突起し、前記導光体と接触する支持部を有している照明光学系。
【請求項５】
前記支持部は、前記原稿の読み取り幅方向に沿って複数個配置された請求項４に記載の照明光学系。
【請求項６】
原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、この集光レンズ及び前記導光体の端部に設置され、平板に穴部を設け、この穴部の一端側に前記導光体の端部を挿入して前記導光体を保持すると共に前記穴部の外側で前記集光レンズの端部を固定するホルダーと、前記導光体に光を入射させる光源と、前記集光レンズから照射された光が前記原稿の照射部で反射した反射光が通過する孔部を有し、前記導光体を収納し、前記導光体を収納した部分に対して前記孔部と反対側に形成された段差部分に前記ツバ部を載置した筐体と備え、前記集光レンズ及び前記ホルダーを切欠き形成した突起部と窪み部とで嵌合し、前記導光体と前記ホルダーとは、前記導光体の端部の突起部と前記ホルダーの穴部に設けた窪み部とで嵌合している照明光学系。
【発明の詳細な説明】
【技術分野】
【０００１】
この発明は、集光レンズや導光体を搭載した密着型イメージセンサ及び照明光学系に関するものである。
【背景技術】
【０００２】
画像情報を高速に読み込むためにより多くの光量を読み取り面に照射することが望まれ、そのために光の集光作用を持つ機能を用いることがある。例えば、特開平５−１８１００４号公報図２（特許文献１参照）には、ＬＥＤプリント板４と集光レンズ２１とから成るアッセンブル体が基台７の取付面６に取り付けされたイメージセンサが開示されている。
【０００３】
また、密着イメージセンサの光源として、長手方向に対する均一な光の照射を行う場合、長手方向に複数の光源を持つ構成よりも、長手方向端部に光源を配置して同一光源から長手方向へ光を伝播・拡散させて使用するほうが照射光量の均一性がとりやすく、且つ安価な構成となる。例えば、特開２０００−１２５０８０号公報図１（特許文献２参照）には、光源３から発せられた光をライン状の画像読み取り領域に導くための導光体８端部に光源３を搭載した画像読み取り装置が開示されている。
【先行技術文献】
【特許文献】
【０００４】
【特許文献１】特開平５−１８１００４号公報（第２図）
【特許文献２】特開２０００−１２５０８０号公報（第１図）
【発明の概要】
【発明が解決しようとする課題】
【０００５】
しかし、特許文献１に記載のイメージセンサにおいては、ＬＥＤ３から発せられた光は集光レンズ２１内で反射、或いは屈折などにより集められ、平行光線となって原稿１４の被読取部に照射されるので原稿１４の被読取部は必要な部分については明るい照明が行なわれるものの長手方向に多数の点光源を配置しているので長手方向に均一な照明を行うことが困難であり、読み取り幅によっては高価なイメージセンサになるという課題があった。
【０００６】
また、特許文献２に記載の画像読み取り装置においては、画像読み取り領域の長手方向各所への照射光量の均一化が図れるようにしているものの、導光体８の形状が大きく複雑であるため光源３が載置された基板４と導光体８とを収納するケース１の構造も複雑となり組み込み時の公差などにより原稿面を照明する照度にばらつきが生じるという課題があった。
【０００７】
この発明は、上記のような課題を解消するためになされたものであり、長手方向に均一な照射性能を確保し、原稿面を効率よく照射すると共に組み込み性能が良い密着型イメージセンサ及び照明光学系を提供することを目的とする。
【課題を解決するための手段】
【０００８】
請求項１の発明に係る密着型イメージセンサは、原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、前記導光体に光を入射させる光源と、前記原稿の読み取り幅方向に延在し、前記集光部に対して前記ツバ部と反対側に配置され、前記集光レンズから照射された光が前記原稿の照射部で反射した反射光を受光部に収束するレンズアレイと、前記導光体を収納し、前記導光体を収納した部分に対して前記レンズアレイと反対側に形成された段差部分に前記ツバ部を載置した筐体とを備え、前記ツバ部は、前記導光体側に向かって突起し、前記導光体と接触する支持部を有しているものである。
【０００９】
請求項２の発明に係る密着型イメージセンサは、前記支持部が、前記原稿の読み取り幅方向に沿って複数個配置された請求項１に記載のものである。
【００１０】
請求項３の発明に係る密着型イメージセンサは、原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、この集光レンズ及び前記導光体の端部に設置され、平板に穴部を設け、この穴部の一端側に前記導光体の端部を挿入して前記導光体を保持すると共に前記穴部の外側で前記集光レンズの端部を固定するホルダーと、前記導光体に光を入射させる光源と、前記原稿の読み取り幅方向に延在し、前記集光部に対して前記ツバ部と反対側に配置され、前記集光レンズから照射された光が前記原稿の照射部で反射した反射光を収束するレンズアレイと、前記導光体を収納し、前記導光体を収納した部分に対して前記レンズアレイと反対側に形成された段差部分に前記ツバ部を載置した筐体とを備え、前記集光レンズ及び前記ホルダーを切欠き形成した突起部と窪み部とで嵌合し、前記導光体と前記ホルダーとは、前記導光体の端部の突起部と前記ホルダーの穴部に設けた窪み部とで嵌合しているものである。
【００１１】
請求項４の発明に係る照明光学系は、原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、前記導光体に光を入射させる光源と、前記集光レンズから照射された光が前記原稿の照射部で反射した反射光が通過する孔部を有し、前記導光体を収納し、前記導光体を収納した部分に対して前記孔部と反対側に形成された段差部分に前記ツバ部を載置した筐体と備え、前記ツバ部は、前記導光体側に向かって突起し、前記導光体と接触する支持部を有しているものである。
【００１２】
請求項５の発明に係る照明光学系は、前記支持部が、前記原稿の読み取り幅方向に沿って複数個配置された請求項４に記載のものである。
【００１３】
請求項６の発明に係る照明光学系は、原稿の読み取り幅方向に延在する導光体と、この導光体に沿って設けられ、前記導光体から出射された光を集光してから前記原稿の照射部を照射する集光部、及び、この集光部から延びたツバ部からなる集光レンズと、この集光レンズ及び前記導光体の端部に設置され、平板に穴部を設け、この穴部の一端側に前記導光体の端部を挿入して前記導光体を保持すると共に前記穴部の外側で前記集光レンズの端部を固定するホルダーと、前記導光体に光を入射させる光源と、前記集光レンズから照射された光が前記原稿の照射部で反射した反射光が通過する孔部を有し、前記導光体を収納し、前記導光体を収納した部分に対して前記孔部と反対側に形成された段差部分に前記ツバ部を載置した筐体と備え、前記集光レンズ及び前記ホルダーを切欠き形成した突起部と窪み部とで嵌合し、前記導光体と前記ホルダーとは、前記導光体の端部の突起部と前記ホルダーの穴部に設けた窪み部とで嵌合しているものである。
【発明の効果】
【００１６】
以上のように、請求項１〜３に係る発明によれば、導光体により長手方向へ均一な照射性能を確保し、集光レンズにより原稿面を効率よく照射することが可能な密着型イメージセンサを得る効果がある。
【００１７】
請求項４〜６に係る発明によれば、導光体により長手方向へ均一な照射性能を確保し、集光レンズにより原稿面を効率よく照射することが可能な照明光学系を得る効果がある。
【図面の簡単な説明】
【００１８】
【図１】この発明の実施の形態１による密着型イメージセンサの全体構成展開斜視図である。
【図２】この発明の実施の形態１による密着型イメージセンサの断面図である。
【図３】この発明の実施の形態１による密着型イメージセンサの導光体と集光レンズの嵌め合わせを説明する展開構成図である。
【図４】この発明の実施の形態１による密着型イメージセンサの導光体とホルダーとの嵌め合わせを説明する部分拡大展開構成図である。
【図５】この発明の実施の形態１による密着型イメージセンサの集光レンズとホルダーとの嵌め合わせを説明する部分拡大展開構成図である。
【図６】この発明の実施の形態１による密着型イメージセンサの取付けを説明する部分拡大展開構成図である。
【図７】この発明の実施の形態１による密着型イメージセンサの基板と弾性部材との位置決め固定を説明する外観図である。
【図８】この発明の実施の形態２による密着型イメージセンサの断面図である。
【図９】この発明の実施の形態２による密着型イメージセンサに用いる集光レンズの外観図である。
【発明を実施するための形態】
【００１９】
実施の形態１．
以下、この発明の実施の形態１について図１を用いて説明する。図１は、実施の形態１による密着型イメージセンサ（イメージセンサ）の全体構成展開斜視図である。図１において、１は密着型イメージセンサの搬送方向（副走査方向）に搬送される原稿（被照射体）、２は密着型イメージセンサに搭載する部品を収納する筐体、３は主走査方向（読み取り幅方向）に延在し光を伝達する透明な導光体、４は導光体３から出射される光を上部に位置する原稿１の主走査方向の読み取り位置（照射部）に集中して照明する透明な集光レンズ、５は導光体３や集光レンズ４の端部に設けられ、中空領域を有し、導光体３の端部入射面から導光体３内部に光を伝播する経路が形成されたホルダーである。なお、ホルダー５は読み取り幅方向両端に設置されている。
【００２０】
６は集光レンズ４と原稿１との間に介在し、搬送経路を形成すると共に異物などの混入を防止する透明な透過体、７は原稿面で反射した光を集束するロッドレンズアレイ（レンズ体）である。８はロッドレンズアレイ７で収束された光を多数の受光部を直線的に配置して光電変換するセンサＩＣ、９はセンサＩＣ８などを載置するセンサ基板である。センサ基板９はセンサＩＣ８で光電変換した光電変換信号を画像信号としてコネクタ（図示せず）などから外部に出力する。なお、ロッドレンズアレイ７及びセンサＩＣ８を載置したセンサ基板９を結像光学系と呼ぶ。図中、同一符号は、同一又は相当部分を示す。
【００２１】
１０はＬＥＤチップを樹脂モールドしたＬＥＤやベアチップなどで構成された光源、１１は光源を載置する屈曲可能な基板（フレキシブル基板）であり、ホルダー５壁面より延長されたリード端子を有する。１２は板金で構成された板ばねなどの弾性部材、１３は密着型イメージセンサの読み取り幅方向両側端部を覆うブラケット、１４は部品固定用の取付けねじ（取付け手段）、１５は密着型イメージセンサの部品を含む取付け部であり、筐体２にねじ切りが成されている。
【００２２】
図２は、実施の形態１による密着型イメージセンサの断面図である。図２において、導光体３は、断面が芯円形状又は略円形であり、読み取り幅方向に沿って光を散乱又は反射させる光散乱層（光散乱領域）が形成されている。光散乱層は、導光体３表面に白色のシルク印刷パターン又は蒸着パターンにより構成する。別の方法として導光体３に切溝を設ける方法、導光体３の表面粗さを粗くする構成としても良い。光散乱層のパターンはパターン形状やパターンピッチを適宜調整して配置することにより読み取り幅方向に亘って均一な光の放射を得る。図中、図１と同一符号は、同一又は相当部分を示す。
【００２３】
導光体３の光の伝播方向中心軸に対して光散乱層と対向する部分の出射部（光出射部）から導光体３の内部導光路を通過する光は集光レンズ４側に放射される。集光レンズ４は導光体３と離間しており、導光体３からの照射光を透過体６を介して照射部を照明する。
【００２４】
図３は、この発明の実施の形態１による密着型イメージセンサの導光体と集光レンズの嵌め合わせを説明する展開構成図である。図３において、３ａは導光体３の端部に設けられた突起部、４ａは集光レンズ４側端部に設けられた突起部、４ｂは集光レンズ４側端部に設けられた窪み部、５ａはホルダー５の穴部、５ｂはホルダー５の穴部に設けられた窪み部、５ｃはホルダー５に設けられた突起部、５ｄはホルダー５に設けられた窪み部、５ｅはホルダー５の両端外側に設けられた位置合わせ用のダボ（突起）である。なお、ホルダー５に設けられた突起部５ｃと窪み部５ｄとをホルダー５の切り欠き部とも呼ぶ。図中、図１と同一符号は、同一又は相当部分を示す。
【００２５】
図４は、この発明の実施の形態１による密着型イメージセンサの導光体とホルダーとの嵌め合わせを説明する部分拡大展開構成図である。図４において、導光体３は導光体３の端部突起部３ａをホルダー５の穴部５ａに挿入すると共に導光体３の突起部３ａはホルダー５の穴部５ａに設けた窪み部５ｂで嵌め合わされる（嵌合される）。窪み部５ｂは主走査方向側に必ずしも貫通させる必要はなく導光体３の突起部３ａを突き当てることにより突き当て位置を基準にした導光体３の位置決め又は取付け精度を向上させることができる。図中、図３同一符号は、同一又は相当部分を示す。
【００２６】
以上から芯円柱状の導光路形状の導光体３であってもこの突起部３ａとホルダー５により導光体３の出射部の照射角度は一定角度で固定され、導光体３の回転ずれによる照射部に対する副走査方向側の照射ずれを防止する。
【００２７】
図５は、この発明の実施の形態１による密着型イメージセンサの集光レンズとホルダーとの嵌め合わせを説明する部分拡大展開構成図である。図５において、集光レンズ４は集光レンズ４の端部突起部４ａと窪み部４ｂとをホルダー５の突起部５ｃ及び窪み部５ｄに挿入すると共に集光レンズ４の突起部４ａ及び窪み部４ｂはホルダー５の窪み部５ｄ及び突起部５ｃとで嵌め合わされる（嵌合される）。突起部５ｃ及び窪み部５ｄは主走査方向側に必ずしも貫通させる必要はなく集光レンズ４の突起部４ａや窪み部４ｂを突き当てることにより突き当て位置を基準にした集光レンズ４の位置決め又は取付け精度を向上させることができる。図中、図３と同一符号は、同一又は相当部分を示す。
【００２８】
以上から、ホルダー５を基準に固定や嵌め合わせる部品と接続することで、光源１０、導光体３、集光レンズ４がホルダ−５を基準に一定の配置で保持されることとなり、照射部に対してばらつきのない均一な照射を行うことが可能となる。また、導光体３、集光レンズ４、ホルダ−５を事前にキット化し、筐体２に組込むことで位置精度を含む組み込み性が向上する。
【００２９】
図６は、この発明の実施の形態１による密着型イメージセンサの取付けを説明する部分拡大展開構成図である。図６において、２ａは筐体２の端部開口部（開口部）、５ｆはホルダー５の底面部、１１ａはフレキシブル基板１１の光源１０部分を曲がりや屈曲から保護する板金（金属板）であり、１１ｂは光源１０に外部から電力を供給するリード端子を示す。１２ａは弾性部材１２の押し当て部分、１２ｂは弾性部材１２のホルダー５の切り欠き部分を覆う板金折り曲げ部分、１２ｃは弾性部材１２の弾性部分を示す。弾性部分１２ｃは本実施の形態１では、板ばねを使用しているが、平板状のゴム材や弾力性のあるシリコン接着剤などを使用しても良い。図中、図１と同一符号は、同一又は相当部分を示す。
【００３０】
ＬＥＤなどの光源１０は、フレキシブル基板１１上に実装され、リード端子１１ｂは外部との電気接続を行う役目を果たす。フレキシブル基板１１は伸縮性のある板ばねなどの弾性部分１２ｃを有する弾性部材１２と接続され、最終的にブラケット１３を重ね合わせて、ねじ１４（取付け手段）で筐体２とねじ止めする。ねじ止めは、弾性部材１２と筐体２とを仮止めしておいてからその後に弾性部材１２を挟んだ状態でブラケット１３と筐体２とをねじ止めしても良い。なお、図７に示すようにフレキシブル基板１１と弾性部材１２との仮止めや固定はホルダー５に設けたダボ５ｅにより、フレキシブル基板１１、板金１１ａ、弾性部材１２の順にホルダー５を基準に位置決め固定する。
【００３１】
すなわち、ホルダー５を基準に組みたてられた集光レンズ４及び導光体３を筐体２に収納する締め付け工程は、集光レンズ４、導光体３及びホルダー５を筐体２に収納した後、両側から光源１０を実装したフレキシブル基板１１と弾性部材１２をホルダ−５から突出している２個のダボ（ホルダーピン）５ｅを基準にして挿入する。その後、ブラケット１３をねじ１４を用いて取付け部１５に取り付ける。
【００３２】
以上から、光源１０と導光体３の配置もホルダー５を基準とすることでこれら照明光学系の取付け精度を高精度に保つことができる。
【００３３】
なお、透過体６と筐体２との固定は接着剤による固定を行わなくてもホルダ−５の切り欠き部まで延在させた透過体６を板金曲げ部分１２ｂにより押さえ込んで固定しても良い。
【００３４】
以上のような構成とすることにより集光レンズ４、導光体３、ホルダー５及び透過体６は筐体２との樹脂などの接着剤を用いることなく互いに位置精度の高い状態で固定され、組み立てや修復時の取り扱いが容易になる効果を生じる。
【００３５】
また、組上げられた集光レンズ４、導光体３、ホルダ−５は、ホルダー５の底面部５ｆと筐体２の開口部２ａを基準に筐体２の内部に設置される。金型成型品でホルダー５を構成し、精密機械加工で筐体２の開口部２ａの面精度を高めることで、ホルダー５と筐体２との精度が向上し、組上げした後は、集光レンズ４の中央にロッドレンズアレイ７が配置され、ロッドレンズアレイ７によりロッドレンズアレイ７と接する集光レンズ４の内側の配置精度も向上する。
【００３６】
次に動作について図１及び図２を用いて説明する。１対の集光レンズ４と１対の導光体３の両端がホルダ−５に保持され、ロッドレンズアレイ７を中央に配置した筐体２の内部に設置される。導光体３の端部のそれぞれに光源１０が配置される構成となっている。
【００３７】
フレキシブル基板１１に搭載された光源１０から発した光は、ホルダー５内部の穴部５ａを通過して導光体３の端部から入射し、導光体３内を全反射を繰り返しながら主走査方向に伝搬し、徐々に導光体３に設けられた散乱領域で散乱反射され全体的に均一な照明光が集光レンズ４に照射される。集光レンズ４は略原稿面に焦点があり、光は搬送される原稿１の照射部（読み取り位置）に集中する。
【００３８】
原稿面の画像情報により反射した光はロッドレンズアレイ７で収束され、ロッドレンズアレイ７で収束された光はセンサ基板９に載置されたセンサＩＣ８の受光部で光電変換される。光電変換された出力は原稿１など読み取り対象物の情報を電気信号として外部へ出力する。
【００３９】
ところで光電変換出力は、ダイナミックレンジが広いことが好ましく高速駆動する場合には光源１０の駆動電流は増大する。例えば、光源１０をパルス駆動させる場合、光で発生する熱量以外にその光源の損失電圧が１．５Ｖのときには、約５０ｍＡの駆動電流が必要なので約７５ｍＷの損失電力が発生する。さらに光源１０は単色で点灯する以外にＲＧＢなど複数発光色のＬＥＤ光源を同時に搭載し、同時に駆動する場合があるのでさらに大きなジュール熱が発生する。
【００４０】
このジュール熱を効果的に熱放散するためには、光源１０を金属面近傍に設置し、金属面に伝導した熱を密着型イメージセンサの外部に放散する必要がある。従って、フレキシブル基板１１のベースとして板金など金属板１１ａを用いることにより放熱効果が高まる。
【００４１】
また、導光体３、集光レンズ４、光源１０を実装したフレキシブル基板１１及びホルダ−５が、弾性を持つ弾性部材１２を介して筐体２に固定することで光源１０を搭載したフレキシブル基板１１や導光体３の伸張や収縮による歪みを解消し、周囲温度環境に寄らずに読み取り幅方向に亘って安定した照射を行うことができる。
【００４２】
実施の形態２．
この発明の実施の形態２について図を用いて説明する。図８は、実施の形態２による密着型イメージセンサの断面図である。図８において、４０ａは集光レンズ４の長手方向に振り分けて設置した支持部（集光レンズ保持リブ）であり、集光レンズ４と一体形成されている。４０ｂは集光レンズ４の集光部、４０ｃは集光レンズ４のツバ部である。図中、図２と同一符号は、同一又は相当部分を示す。
【００４３】
集光レンズ４は、導光体３の光散乱層からの散乱光を原稿１などの読取対象物が配置される範囲にのみ有効に光を照射するために、不要な方向へ散乱した光を必要な方向へ集光する役割を持つことで光の照射効率を上げる。読取対象物の配置される位置は、ロッドレンズアレイ７の焦点深度性能範囲も考慮し、透過体６からの高さ方向において数ｍｍ程度以下の範囲に限られることが多く、その範囲に限定した照射を行うことが効果的である。
【００４４】
集光レンズ４は、必要な箇所への集光のために導光体３との位置関係を正しく保つ必要がある。したがって集光レンズ４に図９に示すように集光レンズ保持リブ４０ａを設け、導光体３と集光レンズ４との相対関係を長手方向に対して保持するようにする。樹脂成型品として準備された集光レンズ４は長手３００ｍｍ程度で約１０グラム程度であるが、３００ｍｍ離れた位置にあるホルダ−５での保持では０．５ｍｍ程度の自重によるたわみを生じる。
【００４５】
これを回避する為に、集光レンズ保持リブ４０ａを３００ｍｍ幅に対して２箇所程度設置することで、照射部における照度分布に影響を生じない程度に改善可能となる。
【００４６】
集光レンズ保持リブ４０ａは、別部品で個別に導光体３と集光レンズ４を読み取り幅方向の中央部付近に設置しても良いが本実施の形態２では、集光レンズ４を樹脂成型品で一体成型することで余分な個別部品や組立工程を持たずに実施する場合について説明する。なお、集光レンズ４とホルダー５との固定に関しては実施の形態１で説明した内容と同一なので集光レンズ４と導光体３との関係について説明する。
【００４７】
図８において、集光レンズ４を細分化すると集光部４０ｂとツバ部４０ｃに区分けされ、図９に示すようにツバ部４０ｃに一体成形した集光レンズ保持リブ４０ａが２個形成される。ツバ部４０ｃは集光部４０ｂの照射方向中心より離間され導光体３の出射部からの光の入射はほとんど無視できる。したがって導光体３の出射部より離れた読み取り幅方向中央近傍や若しくは複数個の集光レンズ保持リブ４０ａを振り分けて配置する。
【００４８】
以上から長手方向に沿って集光レンズ４と導光体３との間に隙間を一定とするための集光レンズ保持リブ４０ａなどの構造物（支持部）を設けることで導光体３と集光レンズ４との配置が両端に位置するホルダ−５のみでなく、中央部付近でも隙間が一定となり読み取り幅方向の照射を均一にする効果がある。
【００４９】
また、集光レンズ４に支持部４０ａを固定するツバ部４０ｃを設けることで、集光レンズ４の読み取り幅方向から見た断面が長くなるのでホルダー５との嵌合幅を大きく取ることにより集光レンズ４の設置角度のずれを最小限に留めることもできる。
【００５０】
なお、実施の形態２においては、支持部４０ａは読み取り幅領域に２個配置したが、中央部に１個配置しても良く、支持部４０ａにも光が到達する場合には読み取り幅領域全域に配置することで隙間が一定となり読み取り幅方向の照射を均一にする効果に加えて反射板としての効果を持たせることで照射部の照明照度を向上させても良い。
【００５１】
実施の形態１及び２では、基板１１にフレキシブル基板を用いたが、屈曲性が要求されない場合や比較的ＬＥＤ数や損失電力の少ない光源１０を搭載する基板においては、基板１１はガラスエポキシ基板などのプリント配線板に用いる基材を使用し、金属板１１ａを用いなくても良い。
【００５２】
実施の形態１及び２では、ホルダー５内部を通過する光の伝播領域に透明樹脂や透明体を設置して光学的フィルタ機能や拡散収束機能を持たせても良くホルダー５の穴部は、貫通穴でなくても良く導光体３の断面形状に合わせて相似状の構成でも良い。すなわち、導光体３は、断面が円形以外に楕円形や多角形、若しくはそれら形状の連結型であっても相応の効果を奏する。
【符号の説明】
【００５３】
１・・原稿（被照射体）  ２・・筐体  ２ａ・・端部開口部（開口部）
３・・導光体  ３ａ・・突起部
４・・集光レンズ  ４ａ・・突起部  ４ｂ・・窪み部  
５・・ホルダー  ５ａ・・穴部  ５ｂ・・穴部に設けられた窪み部
５ｃ・・突起部  ５ｄ・・窪み部  ５ｅ・・ダボ（突起部）  ５ｆ・・底面部
６・・透過体  ７・・レンズ体（ロッドレンズアレイ）
８・・センサＩＣ  ９・・センサ基板  １０・・光源
１１・・基板（フレキシブル基板）  １１ａ・・板金（金属板）  １１ｂ・・リード端子
１２・・弾性部材  １２ａ・・押し当て部  １２ｂ・・板金折り曲げ部分
１２ｃ・・弾性部分
１３・・ブラケット
１４・・取付け手段（ねじ）
１５・・取付け部
４０ａ・・支持部（集光レンズ保持リブ）  ４０ｂ・・集光部  ４０ｃ・・ツバ部。
【図１】
0005418634.tif 000002
【図２】
0005418634.tif 000003
【図３】
0005418634.tif 000004
【図４】
0005418634.tif 000005
【図５】
0005418634.tif 000006
【図６】
0005418634.tif 000007
【図７】
0005418634.tif 000008
【図８】
0005418634.tif 000009
【図９】
0005418634.tif 000010